(57)【要約】  鋸刃の取り付け、取り外しが、手操作にて、簡単、容易に行うことができる高枝鋸の提供を課題とする。  鋸刃１０と、１乃至複数段のポールを備えた長柄２０と、該長柄２０の先端に前記鋸刃１０を取り付けるための連結金具３０とを備えた高枝鋸であって、前記連結金具３０と前記長柄２０との連結及び離脱を、バネ付勢された係合用ピン４０によるピン止めと、手持ち用頭部５１を備えた手回し専用ネジ５０によるネジ止めとの組み合わせにより行う構成としている。
2012124049.tif 000002
【特許請求の範囲】
【請求項１】
鋸刃と、１乃至複数段のポールを備えた長柄と、該長柄の先端に前記鋸刃を取り付けるための連結金具とを備えた高枝鋸であって、前記連結金具と前記長柄との連結及び離脱を、バネ付勢された係合用ピンによるピン止めと、手持ち用頭部を備えた手回し専用ネジによるネジ止めとの組み合わせにより行う構成としたことを特徴とする高枝鋸。
【請求項２】
連結金具は、鋸刃をネジ固定するための固定用偏平部と長柄の先端の筒状ポールを連結するための連結用筒部とを備え、
前記連結金具の連結用筒部には、長手方向に離間する２ヶ所に第１連結用穴と第２連結用穴を備えると共に、第２連結用穴については、筒の反対側の対応位置に雌ネジ状の裏穴を備えた、全貫通穴とし、一方、第１連結用穴については、筒の反対側の対応位置には裏穴を備えない、半貫通穴とし、
前記筒状ポールには、前記連結金具の連結用筒部と同様に、長手方向に離間する２ヶ所に第１連結用穴と第２連結用穴とを備えると共に、第２連結用穴については、筒の反対側の対応位置にネジなしの裏穴を備えた、全貫通穴としており、一方、第１連結用穴については、筒の反対側の対応位置には裏穴を備えない、半貫通穴とし、
且つ前記筒状ポールには、その筒内に片持ち支持された付勢バネを備えると共に、該付勢バネに取り付けられて前記第１連結用穴を内から外に突出する方向にバネ付勢された係合用ピンを備え、
前記連結金具と前記長柄との連結は、連結金具と筒状ポールとが第１連結用穴及び第２連結用穴で連通状態にあるときに、前記バネ付勢された係合用ピンが前記連通した２つの第１の連結用穴に自動的に係合することによるピン止めと、その状態で、前記手回し専用ネジを、手動操作により連通状態にある２つの第２連結用穴に挿入し雌ネジ状の裏穴に螺合して行うネジ止めとの組み合わせにより行う構成とし、
前記連結金具と前記長柄との離脱は、連結金具と筒状ポールとが第１連結用穴及び第２連結用穴で連通状態にあるときに、前記手回し専用ネジの手動操作によるネジ止めの解除及び第２連結用穴からの取り出しと、第１連結用穴に係合する係合用ピンの押し込みによるピン止めの解除との組み合わせにより行う構成としたことを特徴とする高枝鋸。
【請求項３】
連結金具の連結用筒部と長柄の先端の筒状ポールとは、その筒断面を相似形の縦長円とし、該縦長円の頂部に、長手方向の線上に離間して第１連結用穴と第２連結用穴とを設け、一方、連結用筒部の両側部には、その筒開放端から第２連結用穴を越えて第１連結用穴に対応する位置の手前までの範囲に亘って割り溝を形成していることを特徴とする請求項２に記載の高枝鋸。
【発明の詳細な説明】
【技術分野】
【０００１】
本発明は高枝鋸に関し、より詳しくは、長柄から鋸刃を手動で簡単に取り外し、取り付けできるようにした高枝鋸に関する。
【背景技術】
【０００２】
高枝鋸は、一般に長い寸法の柄と、その先にかなり大きな鋸刃を付けていることから、嵩高く、持ち運びの際や保管の際に邪魔になりやすい。特に大きな鋸刃が長柄の先に取り付けられていると、扱い難い、保管し難い等の問題がある。
実用新案登録第３１５３７３０号（特許文献１）には、操作ポール（１７）の先端にボルト（１８）で取付け部（１５）を取り付け、この取付け部（１５）にボルト（１６）で鋸部（１３）を取り付けたものが開示されている。
一方、特開平１０−６７００１号公報（特許文献２）には、鋸替え刃（７）を折り畳めるようにした鋸が開示されている。
また特開２０００−４３００１号公報（特許文献３）にも、鋸刃体（３）を折り畳めるようにした高枝鋸が開示されている。
【先行技術文献】
【特許文献】
【０００３】
【特許文献１】実用新案登録第３１５３７３０号公報
【特許文献２】特開平１０−６７００１号公報
【特許文献３】特開２０００−４３００１号公報
【発明の概要】
【発明が解決しようとする課題】
【０００４】
上記特許文献１の開示するものは、取付け部（１５）を操作ポール（１７）に結合するボルト（１８）に、蝶ボルトを用いてはいるが、見る限りにおいて蝶ボルトの蝶形寸法が小さく、実際問題として手操作でのネジ操作による着脱にはあまり適しているとは言えないものである。また取付け部（１５）を操作ポール（１７）に結合する２ヶ所の両位置で、ボルト（１８）だけを用いて結合する構成であるため、２ヶ所でのネジ操作に手間がかかり、やはり着脱作業がスムーズには行えない問題がある。
即ち、特許文献１に開示するものでは、操作ポール（１７）に対する取付け部（１５）の取り付け、取り外しを、実質上、手操作にては簡単、容易に行うことができない問題があった。
一方、前記特許文献２に示すものは、鋸替え刃（７）を折り畳むことができるものではあるが、鋸替え刃（７）そのものを容易に取り外したり取り付けたりできるものではない。また背金（３）や固定具（６）等を必要として、構造が複雑となる問題があった。
前記特許文献３に示す高枝鋸の場合も、特許文献２に示すものと同様に、鋸刃体（３）を折り畳めるものであるが、鋸刃体（３）そのものを容易に取り外したり取り付けたりできるものではなく、構造が複雑になる問題があった。【０００５】
そこで本発明は上記従来における高枝鋸の問題点を解決し、鋸刃の取り付け、取り外しが、手操作にて、簡単、容易に行うことができる高枝鋸の提供を課題とする。
【課題を解決するための手段】
【０００６】
本発明の高枝鋸は、鋸刃と、１乃至複数段のポールを備えた長柄と、該長柄の先端に前記鋸刃を取り付けるための連結金具とを備えた高枝鋸であって、前記連結金具と前記長柄との連結及び離脱を、バネ付勢された係合用ピンによるピン止めと、手持ち用頭部を備えた手回し専用ネジによるネジ止めとの組み合わせにより行う構成としたことを第１の特徴としている。
また本発明の高枝鋸は、上記第１の特徴に加えて、連結金具は、鋸刃をネジ固定するための固定用偏平部と長柄の先端の筒状ポールを連結するための連結用筒部とを備え、
前記連結金具の連結用筒部には、長手方向に離間する２ヶ所に第１連結用穴と第２連結用穴を備えると共に、第２連結用穴については、筒の反対側の対応位置に雌ネジ状の裏穴を備えた、全貫通穴とし、一方、第１連結用穴については、筒の反対側の対応位置には裏穴を備えない、半貫通穴とし、
前記筒状ポールには、前記連結金具の連結用筒部と同様に、長手方向に離間する２ヶ所に第１連結用穴と第２連結用穴とを備えると共に、第２連結用穴については、筒の反対側の対応位置にネジなしの裏穴を備えた、全貫通穴としており、一方、第１連結用穴については、筒の反対側の対応位置には裏穴を備えない、半貫通穴とし、
且つ前記筒状ポールには、その筒内に片持ち支持された付勢バネを備えると共に、該付勢バネに取り付けられて前記第１連結用穴を内から外に突出する方向にバネ付勢された係合用ピンを備え、
前記連結金具と前記長柄との連結は、連結金具と筒状ポールとが第１連結用穴及び第２連結用穴で連通状態にあるときに、前記バネ付勢された係合用ピンが前記連通した２つの第１の連結用穴に自動的に係合することによるピン止めと、その状態で、前記手回し専用ネジを、手動操作により連通状態にある２つの第２連結用穴に挿入し雌ネジ状の裏穴に螺合して行うネジ止めとの組み合わせにより行う構成とし、
前記連結金具と前記長柄との離脱は、連結金具と筒状ポールとが第１連結用穴及び第２連結用穴で連通状態にあるときに、前記手回し専用ネジの手動操作によるネジ止めの解除及び第２連結用穴からの取り出しと、第１連結用穴に係合する係合用ピンの押し込みによるピン止めの解除との、組み合わせにより行う構成としたことを第２の特徴としている。
また本発明の高枝鋸は、上記第２の特徴に加えて、連結金具の連結用筒部と長柄の先端の筒状ポールとは、その筒断面を相似形の縦長円とし、該縦長円の頂部に、長手方向の線上に離間して第１連結用穴と第２連結用穴とを設け、一方、連結用筒部の両側部には、その筒開放端から第２連結用穴を越えて第１連結用穴に対応する位置の手前までの範囲に亘って割り溝を形成していることを第３の特徴としている。
【発明の効果】
【０００７】
請求項１に記載の高枝鋸によれば、鋸刃と、１乃至複数段のポールを備えた長柄と、該長柄の先端に前記鋸刃を取り付けるための連結金具とを備えた高枝鋸であって、前記連結金具と前記長柄との連結及び離脱を、バネ付勢された係合用ピンによるピン止めと、手持ち用頭部を備えた手回し専用ネジによるネジ止めとの組み合わせにより行う構成としたので、
連結金具を長柄から外すことで鋸刃を一緒に取り外すことができる。連結金具の長柄からの取り外し（離脱）は、手操作によって、手持ち用頭部を備えた手回し専用ネジを回してネジ止めを外し、また係合ピンによるピン止めを外すことで行うことができる。勿論、取り付け（連結）も、手操作だけで行うことができる。即ち、取り付け、取り外し操作を手操作だけで、工具を用いることなくできるので、どのような状況においても取り外し、取り付けが自在に且つスムーズにできる。よって作業中に、鋸刃の長さや曲がり具合等、状況に応じた適正なタイプの鋸刃に容易に取り替えることも可能となる。また移動時や現実の作業時以外においては、簡単に取り外しておくことができるので、取り扱いが容易となる。また保管時においても、長柄部分と金具部分とを分けて保管することができ、金具部分は鋸刃を含めて、金属部分の一括の錆止め処理等が行いやすく、また重要な金属部分を長柄とは別に適切な場所に保管することが容易にできるというメリットがある。【０００８】
請求項２に記載の高枝鋸によれば、上記請求項１の構成による作用効果に加えて、係合用ピンによるピン止めと、手持ち用頭部を備えた手回し専用ネジによるネジ止めは、連結金具の連結用筒部と長柄の先端の筒状ポールにそれぞれに長手方向に離間して備えられた第１連結用穴と第２連結用穴とを用いて簡単に行うことができる。
即ち、連結金具の連結用筒部と筒状ポールとが相互に連通位置に達すると、筒状ポール内に配置された付勢バネの係合用ピンが、連通位置で２つの第１連結用穴に自動的に係合される。よって作業者は、残る作業として、手回し専用ネジを手操作して連通状態にある第２連結用穴に挿入して裏穴にネジ止めするだけで、連結金具と筒状ポールとの連結を完了することができる。即ち、作業者は１箇所での手操作によるネジ止めを行うだけでよく、２箇所をネジ止め操作する必要がない。１ヶ所でのネジ止めであるので、手回し専用ネジの手持ち用頭部の径を大きくすることができ、持ちやすく、手操作の際に十分な力を加えることが容易にできる。
もし２ヶ所でネジ止めする場合には、前記第１連結用穴と第２連結用穴との離間距離をかなり大きくしなければ、２つ必要となる手回し専用ネジの手持ち用頭部の径を大きくできず、連結金具の寸法的な問題を生じる。
また第１連結用穴と第２連結用穴の２ヶ所でネジ止めする場合は、２つの第１連結用穴と２つの裏穴、２つの第２連結用穴と２つの裏穴、との計８個の穴の相互の位置精度を上げないと、ネジの噛み合わせ精度が保てない問題が生じる。
請求項２の高枝鋸では、第２連結用穴は裏穴を必要とする全貫通穴であるが、嵌合用ピンが嵌合する前記第１連結用穴は、裏穴を必要としない半貫通穴に過ぎないので、穴あけに要する時間、精度を軽減することができる。
また請求項２の高枝鋸では、鋸刃を備えた連結金具を長柄の先端の筒状ポールから離脱させるのも、簡単に手作業のみで行うことができる。即ち、先ず手回し専用ネジを手操作して、ネジ止め状態を解除して第２連結用穴から抜き出し、次に係合用ピンを手操作で第１連結用穴内に押し込み、その状態で連結金具の連結用筒部と筒状ポールとを長手方向に引き離せばよい。２ヶ所ともネジ止めする従来のものに比べて、ほぼ半分の時間で離脱ができる。【０００９】
請求項３に記載の高枝鋸によれば、上記請求項２の構成による作用効果に加えて、連結金具の連結用筒部と長柄の先端の筒状ポールとは、その筒断面を相似形の縦長円としているので、連結用筒部と筒状ポールとが円周方向にズレるのをなくして容易に位置合わせすることができる。またピン止めを行う第１連結用穴とネジ止めを行う第２連結用穴とが同じ縦長円の頂部の線上にあるので、係合用ピンの手操作や手回し専用ネジの手操作を同じ領域で容易に行うことができる。一方、連結用筒部の両側に割り溝を形成することで、手回し専用ネジによる連結用筒部と筒状ポールとの結合の際に、連結用筒部の径を縮小させることで、両者の結合にガタが生じないようにすることができると共に、割り溝の範囲を第１連結用穴に対応する位置の手前までとすることで、第１連結用穴での係合用ピンの係合に悪影響がでないようにしている。
【図面の簡単な説明】
【００１０】
【図１】本発明の実施形態に係る高枝鋸の概略図である。
【図２】本発明の実施形態に係る高枝鋸の連結金具が連結された状態を示す要部の縦断面図である。
【図３】本発明の実施形態に係る高枝鋸の連結金具の連結が解除された状態を示す要部の縦断面図である。
【図４】図２のＡ方向矢視図である。
【図５】係合用ピンと付勢バネの斜視図である。
【発明を実施するための形態】
【００１１】
以下の図面を参照して、本発明の実施形態に係る高枝鋸を説明し、本発明の理解に供する。しかし、以下の説明は本発明の特許請求の範囲に記載の発明を限定するものではない。
【００１２】
先ず図１を参照して、本発明の高枝鋸は、鋸刃１０と、長柄２０と、連結金具３０とを備えている。
【００１３】
前記鋸刃１０は、高枝切り用として、寸法の大きなものが用いられる。鋸刃１０の先端部には鎌刃１１が形成されており、鋸刃１０の基端部には別体の鎌刃１２が一緒に連結金具３０にネジ固定されている。
前記長柄２０は、１乃至複数段のポールを伸縮自在に備えている。本実施形態では基端側から先端側にかけて、全部で５段のポールを備えている。最も基端側のポールには持ち手として図示しないグリップ部を設けている。
長柄２０の先端にある筒状ポール２１に対して連結金具３０が離脱自在に連結される。
【００１４】
前記連結金具３０は、前記長柄２０の先端の筒状ポール２１と連結するための連結用筒部３１と、その前方に、前記鋸刃１０をネジ７１、７１で固定するための固定用偏平部３２とを備えている。
前記固定用偏平部３２は、背部で連続する逆Ｕ字形状を呈している。前記鋸刃１０と鎌刃１２とを固定用偏平部３２に差し込み、ネジ７１、７１で固定する。このネジ７１は工具を用いて回すもので、鋸刃１０や鎌刃１２が簡単に外れたり、動いたりしないように固定される。勿論、工具を用いてネジ７１、７１を外すこともできるので、具合の悪くなった鋸刃１０や鎌刃１２の差し替えは可能である。
前記連結用筒部３１は、筒状とされ、その両側部に割り溝３３が形成されている。この割り溝３３は、筒の開放端から、後述する第２連結用穴３１ｂを越えて第１連結用穴３１ａに対応する位置の手前までの範囲に亘って形成されている。
連結金具３０の連結用筒部３１と前記長柄２０先端の筒状ポール２１との連結には、係合用ピン４０と手回し専用ネジ５０とを用いる。係合用ピン４０は、後述する付勢バネ６０によりバネ付勢されている。
【００１５】
図２〜図４も参照して、前記連結金具３０の連結用筒部３１と前記筒状ポール２１とは、連結用筒部３１内に筒状ポール２１が差し込まれる構成とされる。
連結用筒部３１と筒状ポール２１とは、何れもその輪切りの断面を相似形の縦長円としている。これによって両者が相互に円周方向に大きく位置ズレするのを防止している。
前記筒状ポール２１には、その縦長円の一方の頂部において、長手方向に相互に離間する２ヶ所に、第１連結用穴２１ａと第２連結用穴２１ｂとを備えている。この第１連結用穴２１ａと第２連結用穴２１ｂとは、それらの穴の中心が縦長円の頂部における長手方向の同一線上に位置するように構成している。
同様に、連結用筒部３１にも、その縦長円の一方の頂部において、長手方向に相互に離間する２ヶ所に、第１連結用穴３１ａと第２連結用穴３１ｂとを備えている。この第１連結用穴３１ａと第２連結用穴３１ｂとにおいても、それらの穴の中心が縦長円の頂部における長手方向の同一線上に位置するように構成している。
前記２つの第１連結用穴２１ａと第１連結用穴３１ａとは、筒状ポール２１と連結金具３０とが連結される位置において、相互に一致して連通状態となるように構成されている。また前記２つの第２連結用穴２１ｂ、３１ｂも、前記筒状ポール２１と連結金具３０とが連結される位置で相互に一致して連通状態となるように構成されている。
よって、連結金具３０と筒状ポール２１とが連結される位置においては、前記第１連結用穴２１ａ、３１ａが相互に一致して連通すると共に、前記第２連結用穴２１ｂ、３１ｂが相互に一致して連通する。
【００１６】
前記第１連結用穴２１ａ、３１ａは、前記係合用ピン４０が係合される穴である。これら第１連結用穴２１ａ、３１ａは、何れも後述する第２連結用穴２１ｂ、３１ｂの場合とは異なり、筒の反対側の対応する位置には裏穴を備えることのない半貫通穴とされている。
【００１７】
前記第１連結用穴２１ａ、３１ａに係合される係合用ピン４０は、付勢バネ６０の先端部に取り付けられている。
図５も参照して、付勢バネ６０は、帯状の板バネとして構成されている。この付勢バネ６０は、基端取付平面部６１、立下がり部６２、進出部６３、曲げ返し傾斜部６４、先端取付平面部６５からなり、基端取付平面部６１には、ネジ溝付バーリング穴６１ａが設けられ、先端取付平面部６５には切起片６５ａが形成されている。
付勢バネ６０は、基端取付平面部６１のネジ溝付バーリング穴６１ａを用いて筒状ポール２１の一部にネジ７２固定することにより、筒状ポール２１内に片持ち支持されている。
前記係合用ピン４０は、付勢バネ６０の先端取付平面部６５の切起片６５ａに嵌め込み、固着している。
筒状ポール２１内に片持ち支持された付勢バネ６０に取り付けられた係合用ピン４０は、筒状ポール２１の第１連結用穴２１ａから外へ突出する方向にバネ付勢された状態とされている。従って、筒状ポール２１の第１連結用穴２１ａと連結金具３０の第１連結用穴３１ａとが連通すると、バネ付勢されている係合用ピン４０が両第１連結用穴２１ａ、３１ａに自動的に係合すると共に、該連通する両穴２１ａ、３１ａを通って連結金具３０の外まで突出する。
係合用ピン４０の径は先端部から基端部にいくにつれて、少しその半径が大きくなるように構成することができる。基端部にいくにつれて半径が大きくなるように係合用ピン４０を構成することにより、第１連用穴２１ａ、３１ａとの係合にガタつきが生じるのを無くすことが可能となる。
【００１８】
前記第２連結用穴２１ｂ、３１ｂは、前記手回し専用ネジ５０が差し込まれる穴で、これら第２連結用穴２１ｂ、３１ｂには、それぞれ筒の反対側の対応位置に裏穴２１ｃ、３１ｃを備えている。
筒状ポール２１の裏穴２１ｃは、筒状ポール２１の第２連結用穴２１ｂの真裏の位置に設けられている。これにより第２連結用穴２１ｂは裏穴２１ｃを備えた全貫通穴とされ、この全貫通穴に前記手回し専用ネジ５０が挿通される構成となっている。
一方、連結金具３０の連結用筒部３１の裏穴３１ｃは、連結用筒部３１の第２の連結用穴３１ｂの真裏の位置に設けられている。この裏穴３１ｃは、バーリング加工が施されることにより筒の裏側に穴が突出するように寸法が延長され、且つ穴の内面に雌ネジが形成された、雌ネジ状の穴とされている。これにより連結金具３０の第２連結用穴３１ｂは雌ネジ状の裏穴３１ｃを備えた全貫通穴とされる。前記手回し専用ネジ５０は第２連通用穴３１ｂに挿通され、裏穴３１ｃと螺合される。
【００１９】
前記手回し専用ネジ５０は、手持ち用頭部５１を備えた手回し専用のネジである。手回し専用ネジ５０の下部に雄ネジ５２が構成されている。この雄ネジ５２は前記連結金具３０の裏穴３１ｃと螺合される構成となる。
前記手持ち用頭部５１の大きさは、小さくとも、手持ち用頭部５１の側周面のうちの半側周面程度の領域に対して親指の腹側全体をあてがうことができ、手持ち用頭部５１の側周の残る半周程度の領域に人指し指を折り曲げた際の側面にあてがうことができる大きさを有するものとする。この大きさ以上の大きさとすることで、作業者は前記手持ち用頭部５１の側周面に対して、親指の腹側全体と人差し指の折り曲げ側面全体とにより十分な接触面積をもって掴むことができ、よって十分な力を手持ち用頭部５１に伝達して、手回し専用ネジ５０を回すことができる。
頭部の大きさが、親指と人指し指の両指先の腹で摘むことができる程度の大きさしかないネジは、例え見た目が手回しのネジであっても、実際上、手回し操作では連結金具３０と筒状ポール２１との連結を、十分強固に、ズレたり動いたりすることなく完了することができないので、本発明における手持ち用頭部５１には該当しないものとする。
【００２０】
図１、図２、図３を参照して、連結金具３０を、係合用ピン４０と手回し専用ネジ５０とで、長柄２０に連結された状態（両者が第１連結用穴２１ａ、３１ａ及び第２連結用穴２１ｂ、３１ｂで連通した状態）から、その連結を離脱させる作業操作を説明する。
先ず図１、図２に示す状態において、手回し専用ネジ５０を手操作し、連結金具３０の連結用筒部３１の裏穴３１ｃとのネジ止めを解除する。
そして図３に示すように、手回し専用ネジ５０を長柄２０の筒状ポール２１の裏穴２１ａから抜き出し、更に長柄２０と連結金具３０の第２連結用穴２１ｂ、３１ｂからも引き抜いて、外に取り出す。
次に図３に示すように、第１連結用穴２１ａ、３１ａに係合して、突出している係合用ピン４０を、指等で穴内に押し込んでピン止めを解除し、その状態で、連結用金具３０を筒状ポール２１の長手方向に引っ張って、両者を引き離す。これによって連結金具３０の長柄２０からの離脱が完了する。
【００２１】
離脱状態にある連結金具３０を、係合用ピン４０と手回し専用ネジ５０とで、長柄２０に連結させる作業操作を説明する。
今、離脱状態にある連結金具３０を手にとり、これを長柄２０の筒状ポール２１に挿入してゆく。実際には、筒状ポール２１の方がその先端から連結金具３０の連結用筒部３１の筒内に挿入されるわけであるが、この際、筒状ポール２１の係合用ピン４０を筒状ポール２１内に押し入れた状態で、筒状ポール２１を連結用筒部３１内に挿入する。
筒状ポール２１の第１連結用穴２１ａが連結金具３０の第１連結用穴３１ａに一致する位置まで挿入されると、両第１連結用穴２１ａ、３１ａが連通状態となる（図３参照）。すると、その連通状態となった連結金具３０の第１連結用穴３１ａに前記筒状ポール２１側の係合用ピン４０がバネ付勢により進出して、自動的に係合する。この状態においては筒状ポール２１の第２連結用穴２１ｂと連結金具３０の第２連結用穴３１ｂとも相互に連通状態に一致した状態になっている。
次に、手回し専用ネジ５０をその手持ち用頭部５１で手に持って、これを前記連通した第２連結用穴３１ｂ、２１ｂに挿入し、更に筒状ポール２１の裏穴２１ｃから連結金具３０の裏穴３１ｃに達するまで挿入する。そして更に手持ち用頭部５１を手回しすることで、手回し専用ネジ５０を連結金具３０の裏穴３１ｃの雌ネジに螺合してネジ固定する。
以上によって、連結金具３０の長柄２０への連結が完了する。
【００２２】
以上、本発明の高枝鋸によれば、連結金具３０と長柄２０との連結及び離脱を、バネ付勢された係合用ピ４０ンによるピン止めと、手持ち用頭部を備えた手回し専用ネジ５０によるネジ止めとの組み合わせにより、手操作だけで、工具を用いることなくできる。またネジ止め作業は手回し専用ネジ５０による１ヶ所だけの作業で済み、他の箇所では付勢された係合用ピン４０によるピン止めにより、ネジ回し作業なしで行うことができる。よって連結金具３０の取り外し、取り付けが、どのような場所においてもごく簡単に且つスムーズにできる。よって作業中の状況に応じて、適正なタイプの鋸刃のものを選んで容易に取り替えることも可能となる。また現実の作業時以外は、簡単に取り外しておくことができるので、嵩張る高枝鋸の取り扱いが容易となる。勿論、保管時には長柄部分と金具部分とを別保管することが容易であるので、金具部分は鋸刃を含めてさび難い場所に、長柄部分は立て掛け易い場所に、分けて保管することが容易にできるというメリットがある。
【００２３】
また本発明の高枝鋸によれば、係合用ピン４０によるピン止めと、手持ち用頭部５１を備えた手回し専用ネジ５０によるネジ止めは、連結金具３０の連結用筒部３１と長柄２０の先端の筒状ポール２１に、それぞれに長手方向に離間して備えられた第１連結用穴２１ａ、３１ａと第２連結用穴２１ｂ、３１ｂとを用いて簡単に行うことができる。その際、連結金具３０の連結用筒部３１と筒状ポール２１とが相互に連通位置に達すると、付勢バネ６０の係合用ピン４０が、第１連結用穴２１ａ、３１ａに自動的に係合されるので、作業者はピン止め作業が不要であり、残る作業として、手回し専用ネジ５０のネジ止め作業を行うだけで連結を完了できる。また１ヶ所でのネジ止めであるので、手回し専用ネジ５０の手持ち用頭部５１の径を大きくすることができ、持ちやすく、手操作の際に十分な力を加えることが容易にできる。
もし２ヶ所でネジ止めする場合には、第１連結用穴２１ａ、３１ａと第２連結用穴２１ｂ、３１ｂとの離間距離をかなり大きくしなければ、２つ必要となる手回し専用ネジ５０の手持ち用頭部５１の径を大きくできず、手操作し難い状況が生じる。２ヶ所でネジ止めする場合は、２つの第１連結用穴２１ａ、３１ａと２つの裏穴、２つの第２連結用穴２１ｂ、３１ｂと２つの裏穴、との計８個の穴の相互の位置精度を上げる必要が生じる。本発明では第２連結用穴２１ｂ、３１ｂは裏穴を必要とする全貫通穴であるが、嵌合用ピン４０が嵌合する第１連結用穴２１ａ，３１ａは、裏穴を必要としない半貫通穴に過ぎないので、穴あけに要する時間、特に精度を軽減することができる。
【００２４】
また本発明の高枝鋸によれば、連結金具３０の連結用筒部３１と長柄２１先端の筒状ポール２１の筒断面を相似形の縦長円としているので、連結用筒部３１と筒状ポール２１とが円周方向にズレるのが防止され、容易に位置合わせすることができる。またピン止めを行う第１連結用穴２１ａ、３１ａとネジ止めを行う第２連結用穴２１ｂ、３１ｂとが同じ縦長円の頂部の線上にあるので、係合用ピン４０の手操作や手回し専用ネジ５０の手操作を同じ領域内で容易に行うことができる。
また連結用筒部３１の両側に割り溝３３を形成することで、手回し専用ネジ５０による連結用筒部３１と筒状ポール２１との結合の際に、連結用筒部３１の径を縮小させることが可能となり、両者の結合にガタが生じないようにできる。割り溝３３の範囲は第１連結用穴３１ａに対応する位置の手前までとしているので、第１連結用穴３１ａでの係合用ピン４０の係合に悪影響もでない。
【産業上の利用可能性】
【００２５】
本発明は高枝を枝払いするのに用いる高枝鋸として、産業上利用することができる。
【符号の説明】
【００２６】
１０          鋸刃
１１          鎌刃
１２          鎌刃
２０          長柄
２１          筒状ポール
２１ａ        第１連結用穴
２１ｂ        第２連結用穴
２１ｃ        裏穴
３０          連結金具
３１          連結用筒部
３１ａ        第１連結用穴
３１ｂ        第２連結用穴
３１ｃ        裏穴
３２          固定用偏平部
３３          割り溝
４０          係合用ピン
５０          手回し専用ネジ
５１          手持ち用頭部
５２          雄ネジ
６０          付勢バネ
６１          基端取付平面部
６１ａ        ネジ溝付バーリング穴
６２          立下がり部
６３          進出部
６４          曲げ返し傾斜部
６５          先端取付平面部
６５ａ        切起片
７１          ネジ
７２          ネジ
【図１】
2012124049.tif 000003
【図２】
2012124049.tif 000004
【図３】
2012124049.tif 000005
【図４】
2012124049.tif 000006
【図５】
2012124049.tif 000007
【手続補正書】
【提出日】平成23年10月5日(2011.10.5)
【手続補正１】
【補正対象書類名】特許請求の範囲
【補正対象項目名】請求項２
【補正方法】変更
【補正の内容】
【請求項２】
連結金具は、鋸刃をネジ固定するための固定用偏平部と長柄の先端の筒状ポールを連結するための連結用筒部とを備え、
前記連結金具の連結用筒部には、長手方向に離間する２ヶ所に第１連結用穴と第２連結用穴を備えると共に、第２連結用穴については、筒の反対側の対応位置に雌ネジ状の裏穴を備えた、全貫通穴とし、一方、第１連結用穴については、筒の反対側の対応位置には裏穴を備えない、半貫通穴とし、
前記筒状ポールには、前記連結金具の連結用筒部と同様に、長手方向に離間する２ヶ所に第１連結用穴と第２連結用穴とを備えると共に、第２連結用穴については、筒の反対側の対応位置にネジなしの裏穴を備えた、全貫通穴としており、一方、第１連結用穴については、筒の反対側の対応位置には裏穴を備えない、半貫通穴とし、
且つ前記筒状ポールには、その筒内に片持ち支持された付勢バネを備えると共に、該付勢バネに取り付けられて前記第１連結用穴を内から外に突出する方向にバネ付勢された係合用ピンを備え、
前記連結金具と前記長柄との連結は、連結金具と筒状ポールとが第１連結用穴及び第２連結用穴で連通状態にあるときに、前記バネ付勢された係合用ピンが前記連通した２つの第１の連結用穴に自動的に係合することによるピン止めと、その状態で、手回し専用ネジを、手動操作により連通状態にある２つの第２連結用穴に挿入し雌ネジ状の裏穴に螺合して行うネジ止めとの組み合わせにより行う構成とし、
前記連結金具と前記長柄との離脱は、連結金具と筒状ポールとが第１連結用穴及び第２連結用穴で連通状態にあるときに、前記手回し専用ネジの手動操作によるネジ止めの解除及び第２連結用穴からの取り出しと、第１連結用穴に係合する係合用ピンの押し込みによるピン止めの解除との組み合わせにより行う構成としたことを特徴とする高枝鋸。
【手続補正書】
【提出日】平成24年2月15日(2012.2.15)
【手続補正１】
【補正対象書類名】特許請求の範囲
【補正対象項目名】全文
【補正方法】変更
【補正の内容】
【特許請求の範囲】
【請求項１】
鋸刃と、１乃至複数段のポールを備えた長柄と、該長柄の先端に前記鋸刃を取り付けるための連結金具とを備えた高枝鋸であって、前記連結金具と前記長柄との連結及び離脱を、バネ付勢された係合用ピンによるピン止めと、手持ち用頭部を備えた手回し専用ネジによるネジ止めとの組み合わせにより行う構成とし、
前記連結金具は、鋸刃をネジ固定するための固定用扁平部と長柄の先端の筒状ポールを連結するための連結用筒部とを備え、
前記連結金具の連結用筒部には、長手方向に離間する２ヶ所に第１連結用穴と第２連結用穴を備えると共に、第２連結用穴については、筒の反対側の対応位置に雌ネジ状の裏穴を備えた、全貫通穴とし、一方、第１連結用穴については、筒の反対側の対応位置には裏穴を備えない、半貫通穴とし、
前記筒状ポールには、前記連結金具の連結用筒部と同様に、長手方向に離間する２ヶ所に第１連結用穴と第２連結用穴とを備えると共に、第２連結用穴については、筒の反対側の対応位置にネジなしの裏穴を備えた、全貫通穴としており、一方、第１連結用穴については、筒の反対側の対応位置には裏穴を備えない、半貫通穴とし、
且つ前記筒状ポールには、その筒内に片持ち支持された付勢バネを備えると共に、該付勢バネに取り付けられて前記第１連結用穴を内から外に突出する方向にバネ付勢された係合用ピンを備え、
前記連結金具と前記長柄との連結は、連結金具と筒状ポールとが第１連結用穴及び第２連結用穴で連通状態にあるときに、前記バネ付勢された係合用ピンが前記連通した２つの第１の連結用穴に自動的に係合することによるピン止めと、その状態で、手回し専用ネジを、手動操作により連通状態にある２つの第２連結用穴に挿入し雌ネジ状の裏穴に螺合して行うネジ止めとの組み合わせにより行う構成とし、
前記連結金具と前記長柄との離脱は、連結金具と筒状ポールとが第１連結用穴及び第２連結用穴で連通状態にあるときに、前記手回し専用ネジの手動操作によるネジ止めの解除及び第２連結用穴からの取り出しと、第１連結用穴に係合する係合用ピンの押し込みによるピン止めの解除との組み合わせにより行う構成としたことを特徴とする高枝鋸。
【請求項２】
連結金具の連結用筒部と長柄の先端の筒状ポールとは、その筒断面を相似形の縦長円とし、該縦長円の頂部に、長手方向の線上に離間して第１連結用穴と第２連結用穴とを設け、一方、連結用筒部の両側部には、その筒開放端から第２連結用穴を越えて第１連結用穴に対応する位置の手前までの範囲に亘って割り溝を形成していることを特徴とする請求項１に記載の高枝鋸。
【手続補正２】
【補正対象書類名】明細書
【補正対象項目名】０００６
【補正方法】変更
【補正の内容】
【０００６】
本発明の高枝鋸は、鋸刃と、１乃至複数段のポールを備えた長柄と、該長柄の先端に前記鋸刃を取り付けるための連結金具とを備えた高枝鋸であって、前記連結金具と前記長柄との連結及び離脱を、バネ付勢された係合用ピンによるピン止めと、手持ち用頭部を備えた手回し専用ネジによるネジ止めとの組み合わせにより行う構成とし、
前記連結金具は、鋸刃をネジ固定するための固定用扁平部と長柄の先端の筒状ポールを連結するための連結用筒部とを備え、
前記連結金具の連結用筒部には、長手方向に離間する２ヶ所に第１連結用穴と第２連結用穴を備えると共に、第２連結用穴については、筒の反対側の対応位置に雌ネジ状の裏穴を備えた、全貫通穴とし、一方、第１連結用穴については、筒の反対側の対応位置には裏穴を備えない、半貫通穴とし、
前記筒状ポールには、前記連結金具の連結用筒部と同様に、長手方向に離間する２ヶ所に第１連結用穴と第２連結用穴とを備えると共に、第２連結用穴については、筒の反対側の対応位置にネジなしの裏穴を備えた、全貫通穴としており、一方、第１連結用穴については、筒の反対側の対応位置には裏穴を備えない、半貫通穴とし、
且つ前記筒状ポールには、その筒内に片持ち支持された付勢バネを備えると共に、該付勢バネに取り付けられて前記第１連結用穴を内から外に突出する方向にバネ付勢された係合用ピンを備え、
前記連結金具と前記長柄との連結は、連結金具と筒状ポールとが第１連結用穴及び第２連結用穴で連通状態にあるときに、前記バネ付勢された係合用ピンが前記連通した２つの第１の連結用穴に自動的に係合することによるピン止めと、その状態で、手回し専用ネジを、手動操作により連通状態にある２つの第２連結用穴に挿入し雌ネジ状の裏穴に螺合して行うネジ止めとの組み合わせにより行う構成とし、
前記連結金具と前記長柄との離脱は、連結金具と筒状ポールとが第１連結用穴及び第２連結用穴で連通状態にあるときに、前記手回し専用ネジの手動操作によるネジ止めの解除及び第２連結用穴からの取り出しと、第１連結用穴に係合する係合用ピンの押し込みによるピン止めの解除との組み合わせにより行う構成としたことを第１の特徴としている。
また本発明の高枝鋸は、上記第１の特徴に加えて、連結金具の連結用筒部と長柄の先端の筒状ポールとは、その筒断面を相似形の縦長円とし、該縦長円の頂部に、長手方向の線上に離間して第１連結用穴と第２連結用穴とを設け、一方、連結用筒部の両側部には、その筒開放端から第２連結用穴を越えて第１連結用穴に対応する位置の手前までの範囲に亘って割り溝を形成していることを第２の特徴としている。
【手続補正３】
【補正対象書類名】明細書
【補正対象項目名】０００８
【補正方法】変更
【補正の内容】
【０００８】
加えて、係合用ピンによるピン止めと、手持ち用頭部を備えた手回し専用ネジによるネジ止めは、連結金具の連結用筒部と長柄の先端の筒状ポールにそれぞれに長手方向に離間して備えられた第１連結用穴と第２連結用穴とを用いて簡単に行うことができる。
即ち、連結金具の連結用筒部と筒状ポールとが相互に連通位置に達すると、筒状ポール内に配置された付勢バネの係合用ピンが、連通位置で２つの第１連結用穴に自動的に係合される。よって作業者は、残る作業として、手回し専用ネジを手操作して連結状態にある第２連結用穴に挿入して裏穴にネジ止めするだけで、連結金具と筒状ポールとの連結を完了することができる。即ち、作業者は１ヶ所での手操作によるネジ止めを行うだけでよく、２ヶ所をネジ止め操作する必要がない。１ヶ所でのネジ止めであるので、手回し専用ネジの手持ち用頭部の径を大きくすることができ、持ちやすく、手操作の際に十分な力を加えることが容易にできる。
もし２ヶ所でネジ止めする場合には、前記第１連結用穴と第２連結用穴との離間距離をかなり大きくしなければ、２つ必要となる手回し専用ネジの手持ち用頭部の径を大きくできず、連結金具の寸法的な問題が生じる。
また第１連結用穴と第２連結用穴の２ヶ所でネジ止めする場合は、２つの第１連結用穴と２つの裏穴、２つの第２連結用穴と２つの裏穴、との計８個の穴の相互の位置精度を上げないと、ネジの噛み合わせ精度が保てない問題が生じる。
請求項１の高枝鋸では、第２連結用穴は裏穴を必要とする全貫通穴であるが、嵌合用ピンが嵌合する前記第１連結用穴は、裏穴を必要としない半貫通穴に過ぎないので、穴あけに要する時間、精度を軽減することができる。
また請求項１の高枝鋸では、鋸刃を備えた連結金具を長柄の先端の筒状ポールから離脱させるのも、簡単に手作業のみで行うことができる。即ち、先ず手回し専用ネジを手操作して、ネジ止め状態を解除して第２連結用穴から抜き出し、次に係合用ピンを手操作で第１連結用穴内に押し込み、その状態で連結金具の連結用筒部と筒状ポールとを長手方向に引き離せばよい。２ヶ所ともネジ止めする従来のものに比べて、ほぼ半分の時間で離脱ができる。
【手続補正４】
【補正対象書類名】明細書
【補正対象項目名】０００９
【補正方法】変更
【補正の内容】
【０００９】
請求項２に記載の高枝鋸によれば、上記請求項１の構成による作用効果に加えて、連結金具の連結用筒部と長柄の先端の筒状ポールとは、その筒断面を相似形の縦長円としているので、連結用筒部と筒状ポールとが円周方向にズレるのをなくして容易に位置合わせすることができる。またピン止めを行う第１連通用穴とネジ止めを行う第２連通用穴とが同じ縦長円の頂部の線上にあるので、係合ピンの手操作や手回し専用ネジの手操作を同じ領域で容易に行うことができる。一方、連結用筒部の両側に割り溝を形成することで、手回し専用ネジによる連結用筒部と筒状ポールとの結合の際に、連結用筒部の径を縮小させることで、両者の結合にガタが生じないようにすることができると共に、割り溝の範囲を第１連通用穴に対応する位置の手前までとすることで、第１連結用穴での係合用ピンの係合に悪影響がでないようにしている。
【手続補正５】
【補正対象書類名】明細書
【補正対象項目名】００１４
【補正方法】変更
【補正の内容】
【００１４】
前記連結金具３０は、前記長柄２０の先端の筒状ポール２１と連結するための連結用筒部３１と、その前方に、前記鋸刃１０をネジ７１、７１で固定するための固定用扁平部３２とを備えている。
前記固定用扁平部３２は、背部で連続する逆Ｕ字形状を呈している。前記鋸刃１０と鎌刃１２とを固定用扁平部３２に差し込み、ネジ７１、７１で固定する。このネジ７１は工具を用いて回すもので、鋸刃１０や鎌刃１２が簡単に外れたり、動いたりしないように固定される。勿論、工具を用いてネジ７１、７１を外すこともできるので、具合の悪くなった鋸刃１０や鎌刃１２の差し替えは可能である。
前記連結用筒部３１は、筒状とされ、その両側部に割り溝３３が形成されている。この割り溝３３は、筒の開放端から、後述する第２連結用穴３１ｂを越えて第１連結用穴３１ａに対応する位置の手前までの範囲に亘って形成されている。
連結金具３０の連結用筒部３１と前記長柄２０先端の筒状ポール２１との連結には、係合用ピン４０と手回し専用ネジ５０とを用いる。係合用ピン４０は、後述する付勢バネ６０によりバネ付勢されている。
【手続補正６】
【補正対象書類名】明細書
【補正対象項目名】００２６
【補正方法】変更
【補正の内容】
【００２６】
１０          鋸刃
１１          鎌刃
１２          鎌刃
２０          長柄
２１          筒状ポール
２１ａ        第１連結用穴
２１ｂ        第２連結用穴
２１ｃ        裏穴
３０          連結金具
３１          連結用筒部
３１ａ        第１連結用穴
３１ｂ        第２連結用穴
３１ｃ        裏穴
３２          固定用扁平部
３３          割り溝
４０          係合用ピン
５０          手回し専用ネジ
５１          手持ち用頭部
５２          雄ネジ
６０          付勢バネ
６１          基端取付平面部
６１ａ        ネジ溝付バーリング穴
６２          立下がり部
６３          進出部
６４          曲げ返し傾斜部
６５          先端取付平面部
６５ａ        切起片
７１          ネジ
７２          ネジ
【国際調査報告】
2012124049.tif 000008
2012124049.tif 000009
2012124049.tif 000010